(57)【要約】ネットワークリソース装置は、第１地理的領域で無線サービスを提供する第１無線ネットワークと関連づけられる。ネットワークリソース装置は、プロセッサ及びコンピュータ実行可能な命令が保存された非一時的なコンピュータ可読媒体を含み、プロセッサによって前記コンピュータ実行可能な命令が実行される場合、コンピュータ実行可能な命令が行う方法は、第１地理的領域と重なる第２地理的領域で無線通信サービスを提供する第２無線ネットワークの性能メトリックデータを獲得するステップ及び第２無線ネットワーク側に第１無線ネットワークによって生成された干渉を減少させるために、獲得した第２性能データに基づいて第１無線ネットワークと関連づけられた構成パラメータを変更するステップを含む。【選択図】図５
2015523014.tif 000002
【特許請求の範囲】
【請求項１】
第１地理的領域で無線サービスを提供する第１無線ネットワークと関連づけられたネットワークリソース装置において、
プロセッサ；及び
コンピュータ実行可能な命令が保存された非一時的なコンピュータ可読媒体を含み、
前記プロセッサによって前記コンピュータ実行可能な命令が実行される場合、前記コンピュータ実行可能な命令が行う方法は、
前記第１地理的領域と重なる第２地理的領域で無線通信サービスを提供する第２無線ネットワークの性能メトリックデータを獲得するステップ；及び
前記第２無線ネットワーク側に前記第１無線ネットワークによって生成された干渉を減少させるために、獲得した前記第２性能データに基づいて前記第１無線ネットワークと関連づけられた構成パラメータを変更するステップを含むことを特徴とするネットワークリソース装置。
【請求項２】
前記第１無線ネットワークは、前記第２無線ネットワークによって使用された第２周波数帯域と同じ又は重なる第１周波数帯域を使用し、
前記ネットワークリソース装置は、前記第１無線ネットワークの前記構成パラメータを変更するために使用するための前記第１無線ネットワークの構成パラメータを提供されることを特徴とする請求項１に記載のネットワークリソース装置。
【請求項３】
前記第１無線ネットワーク及び前記第２無線ネットワークは、他のネットワーク事業者によって運用されることを特徴とする請求項２に記載のネットワークリソース装置。
【請求項４】
前記第２無線ネットワークは、政府によって運用されることを特徴とする請求項３に記載のネットワークリソース装置。
【請求項５】
前記方法は、
前記第２無線ネットワークのノードで発生する干渉の指標（ｉｎｄｉｃａｔｉｏｎ）を受信するステップ；
前記第１無線ネットワークと関連づけられた前記構成パラメータを変更することによって、前記第２無線ネットワークのノードにおける干渉が解決されたかを決定するステップ；及び
前記構成パラメータを変更することによって前記第２無線ネットワークのノードで干渉が解決されなかったと決定される場合、同じ前記構成パラメータ又は他の構成パラメータの中の少なくとも１つを変更するステップを含むことを特徴とする請求項３に記載のネットワークリソース装置。
【請求項６】
前記第１無線ネットワークの周波数帯域及び前記第２無線ネットワークの周波数帯域は、それぞれ互いに干渉を起こし得る無線スペクトルに十分に密接な隣接周波数帯域であることを特徴とする請求項１に記載のネットワークリソース装置。
【請求項７】
前記第１無線ネットワークの周波数帯域及び前記第２無線ネットワークの周波数帯域は、それぞれ互いに干渉を起こし得る無線スペクトルに十分に密接な隣接周波数帯域であって、
前記第１無線ネットワーク及び前記第２無線ネットワークは、他のネットワーク事業者によって運用され、
前記方法は、
前記第２無線ネットワークのノードで発生する干渉の指標（ｉｎｄｉｃａｔｉｏｎ）を受信するステップ；
前記第１無線ネットワークと関連づけられた前記構成パラメータを変更することによって、前記第２無線ネットワークのノードにおける干渉が解決されたかを決定するステップ；及び
前記構成パラメータを変更することによって前記第２無線ネットワークのノードで干渉が解決されなかったと決定される場合、同じ前記構成パラメータ又は他の構成パラメータの中の少なくとも１つを変更するステップをさらに含み、
前記ネットワークリソース装置に前記第１ネットワーク及び前記第２ネットワークの構成パラメータ及び性能メトリックデータが提供されることを特徴とする請求項１に記載のネットワークリソース装置。
【請求項８】
前記変更された構成パラメータは、前記第１無線ネットワークにおける無線送信機の送信電力又は前記第１無線ネットワークにおけるアンテナの方向であることを特徴とする請求項１に記載のネットワークリソース装置。
【請求項９】
前記ネットワークリソース装置は、前記第１無線ネットワークに対する自己組織化ネットワーク制御機であることを特徴とする請求項１に記載のネットワークリソース装置。
【請求項１０】
前記ネットワークリソース装置は、前記第１無線ネットワークの基地局の中のいずれかから離隔された位置で提供されたり、前記第１無線ネットワークの１つ以上の基地局で提供されることを特徴とする請求項１に記載のネットワークリソース装置。
【請求項１１】
無線ネットワークで干渉を減少させる方法において、
第１地理的領域に無線通信サービスを提供する第１無線ネットワークと関連づけられたネットワークリソース装置によって前記第１無線ネットワークの構成パラメータにアクセスするステップ；
前記ネットワークリソース装置によって、前記第１地理的領域と重なった第２地理的領域に無線通信サービスを提供する第２無線ネットワークの性能メトリックデータを獲得するステップ；及び
前記第２無線ネットワーク側に前記第１無線ネットワークによって生成された干渉を減少させるために、前記第２無線ネットワークの前記性能メトリックデータに基づいて前記ネットワークリソース装置によって前記第１無線ネットワークと関連づけられた構成パラメータを変更するステップを含むことを特徴とする無線ネットワークで干渉を減少させる方法。
【請求項１２】
前記第１無線ネットワークは、前記第２無線ネットワークによって使用される第２周波数帯域と同じ又は重なる第１周波数帯域を使用し、
前記第１無線ネットワーク及び前記第２無線ネットワークは、他のネットワーク事業者によって運用されることを特徴とする無線ネットワークで干渉を減少させる請求項１１に記載の方法。
【請求項１３】
前記第２無線ネットワークのノードで発生する干渉の指標（ｉｎｄｉｃａｔｉｏｎ）を受信するステップ；
前記第１無線ネットワークと関連づけられた前記構成パラメータを変更することによって、前記第２無線ネットワークのノードにおける干渉が解決されたかを決定するステップ；及び
前記構成パラメータを変更することによって前記第２無線ネットワークのノードで干渉が解決されなかったと決定される場合、同じ前記構成パラメータ又は他の構成パラメータの中の少なくとも１つを変更するステップをさらに含むことを特徴とする無線ネットワークで干渉を減少させる請求項１２に記載の方法。
【請求項１４】
前記第１無線ネットワークの周波数帯域及び前記第２無線ネットワークの周波数帯域は、それぞれ互いに干渉を起こし得る無線スペクトルに十分に密接な隣接周波数帯域であることを特徴とする無線ネットワークで干渉を減少させる請求項１１に記載の方法。
【請求項１５】
前記第１無線ネットワークの周波数帯域及び前記第２無線ネットワークの周波数帯域は、それぞれ互いに干渉を起こし得る無線スペクトルに十分に密接な隣接周波数帯域であって、
前記第１無線ネットワーク及び前記第２無線ネットワークは、他のネットワーク事業者によって運用され、
前記第２無線ネットワークのノードで発生する干渉の指標（ｉｎｄｉｃａｔｉｏｎ）を受信するステップ；
前記第１無線ネットワークと関連づけられた前記構成パラメータを変更することによって、前記第２無線ネットワークのノードでの干渉が解決されたかを決定するステップ；及び
前記構成パラメータを変更することによって前記第２無線ネットワークのノードで干渉が解決されなかったと決定される場合、同じ前記構成パラメータ又は他の構成パラメータの中の少なくとも１つを変更するステップをさらに含み、
前記ネットワークリソース装置に前記第１無線ネットワーク及び前記第２無線ネットワークの構成パラメータ及び性能メトリックデータが提供されることを特徴とする無線ネットワークで干渉を減少させる請求項１１に記載の方法。
【請求項１６】
前記ネットワークリソース装置は、前記第１無線ネットワークに対する自己組織化ネットワーク制御機であることを特徴とする無線ネットワークで干渉を減少させる請求項１１に記載の方法。
【請求項１７】
複数の基地局を有し、第２無線ネットワークの第２地理的カバレッジ領域と重なる第１地理的カバレッジ領域で無線サービスを提供する第１無線ネットワーク；
前記第１無線ネットワークと関連づけられたネットワークリソース装置；及び
前記第１無線ネットワークの要素で提供され、コンピュータ実行可能な命令が保存された非一時的なコンピュータ可読媒体を含み、
プロセッサによって前記コンピュータ実行可能な命令が実行される場合、前記コンピュータ実行可能な命令が行う方法は、
前記第１無線ネットワークと関連づけられた構成パラメータにアクセスするステップ；及び
前記第２無線ネットワーク側に前記第１無線ネットワークによって生成された干渉を減少させるために、前記第２無線ネットワークの性能メトリックデータに基づいて前記第１無線ネットワークと関連づけられた構成パラメータを変更するステップを含むことを特徴とするネットワーククコンピューティングシステム。
【請求項１８】
前記第２無線ネットワークのノードで干渉指標を受信するステップをさらに含み、
前記非一時的なコンピュータ可読媒体は、前記ネットワークリソース装置で提供されることを特徴とする請求項１７に記載のネットワーククコンピューティングシステム。
【請求項１９】
前記干渉指標は、前記ネットワークリソース装置によって受信された前記第２無線ネットワークの性能メトリックデータに基づくことを特徴とする請求項１８に記載のネットワーククコンピューティングシステム。
【請求項２０】
前記第１無線ネットワークは、前記第２無線ネットワークによって使用される第２周波数帯域と同じ又は重なる第１周波数帯域を使用し、
前記第１無線ネットワーク及び前記第２無線ネットワークは、他のネットワーク事業者によって運用されることを特徴とする請求項１７に記載のネットワーククコンピューティングシステム。
【発明の詳細な説明】
【技術分野】
【０００１】
本発明は、２０１２年６月６日に出願された正規米国出願番号６１／６５６，４７４を優先権として主張し、これは全ての目的のために参照として併合される。
【背景技術】
【０００２】
現在、無線事業者の最大の課題は、増加した無線広帯域データ速度に対して急激に増大する需要者の要求に追いつくことである。これらの課題は増加したスマートフォンの主流的な採択及びラップトップ、タブレット及び他のモバイル装置のより増大した「クラウド」への接続性に対する要望によって悪化してきた。
【０００３】
ネットワーク事業者は４Ｇネットワークを築き、ヘテロジニアスネットワークに進化させ、ネットワーク利用を増加させ、新たなサービスパラダイムを取り入れるために数百万ドルを投資することで、この爆発的な成長に対応している。しかし、利用可能な周波数帯域幅は固定されているため、ネットワーク事業者は無線通信帯域幅に対して爆発する要求を満足させるための過酷な任務に直面している。ネットワーク事業者は割り当てられた帯域幅をより效率的に使用できる方法を探すことが必要である。
【発明の概要】
【課題を解決するための手段】
【０００４】
本発明の実施例は、自己組織化ネットワーク（ＳＯＮ）能力を有するネットワークコンピューティングシステムに関する。第２無線ネットワークの性能メトリック（ｐｅｒｆｏｒｍａｎｃｅ  ｍｅｔｒｉｃｓ）に基づいて、ＳＯＮプロセスは、第１無線ネットワークのパラメータを変更し、その結果、第２無線ネットワーク側に第１無線ネットワークによって生成された干渉が減少される。変更され得る第１無線ネットワークのパラメータは無線送信機のバルク送信電力、個別無線リソースの送信電力設定（例えば、無線サブ帯域の送信電力又は異なるタイムスロット又は異なる無線コード、遠隔制御されるアンテナ（例えば、ＲＥＴ（Ｒｅｍｏｔｅ  Ｅｌｅｃｔｒｉｃａｌ  Ｔｉｌｔ）、ＲＡＳ（Ｒｅｍｏｔｅ  Ａｚｉｍｕｔｈ  Ｓｔｅｅｒｉｎｇ）又はＲＡＢ（Ｒｅｍｏｔｅ  Ａｚｉｍｕｔｈ  Ｂｅａｍｗｉｄｔｈ）能力を有するアンテナ）の方向に使用される送信電力）などを含むこともできる。一実施例において、ＳＯＮプロセスは、選択的に第２無線ネットワークによる構成変更のために第２無線ネットワークのネットワークリソース制御機（Ｎｅｔｗｏｒｋ  Ｒｅｓｏｕｒｃｅ  Ｃｏｎｔｒｏｌｌｅｒ、ＮＲＣ）に推薦パラメータの変更を伝達することもできる。
【０００５】
一実施例において、ネットワークリソース装置は、第１地理的領域で無線サービスを提供する第１無線ネットワークと関連づけられる。ネットワークリソース装置は、プロセッサ及びコンピュータ実行可能な命令が保存された非一時的なコンピュータ可読媒体を含み、前記プロセッサによって前記コンピュータ実行可能な命令が実行される場合、前記コンピュータ実行可能な命令が行う方法は：前記第１地理的領域と重なる第２地理的領域で無線通信サービスを提供する第２無線ネットワークの性能メトリックデータを獲得するステップ；及び前記第２無線ネットワーク側に前記第１無線ネットワークによって生成された干渉を減少させるために、獲得した前記第２性能データに基づいて前記第１無線ネットワークと関連づけられた構成パラメータを変更するステップを含む。
【０００６】
一実施例において、無線ネットワークで干渉を減少させる方法は、第１地理的領域に無線通信サービスを提供する第１無線ネットワークと関連づけられたネットワークリソース装置によって前記第１無線ネットワークの構成パラメータにアクセスするステップを含む。前記第１地理的領域と重なった第２地理的領域に無線通信サービスを提供する第２無線ネットワークの性能メトリックデータは、ネットワークリソース装置によって獲得される。前記第１無線ネットワークと関連づけられた構成パラメータは、前記第２無線ネットワーク側に前記第１無線ネットワークによって生成された干渉を減少させるために、前記第２無線ネットワークの前記性能メトリックデータに基づいて前記ネットワークリソース装置によって変更される。
【０００７】
他の実施例において、ネットワーククコンピューティングシステムは、複数の基地局を有し、第２無線ネットワークの第２地理的カバレッジ領域と重なる第１地理的カバレッジ領域で無線サービスを提供する第１無線ネットワークを含む。ネットワークリソース装置は、前記第１無線ネットワークと関連づけられる。コンピュータ実行可能な命令が保存された非一時的なコンピュータ可読媒体は、前記第１無線ネットワークの要素で提供され、プロセッサによって前記コンピュータ実行可能な命令が実行される場合、前記コンピュータ実行可能な命令が行う方法は：前記第１無線ネットワークと関連づけられた構成パラメータにアクセスするステップ；及び前記第２無線ネットワーク側に前記第１無線ネットワークによって生成された干渉を減少させるために、前記第２無線ネットワークの性能メトリックデータに基づいて前記第１無線ネットワークと関連づけられた構成パラメータを変更するステップを含む。
【図面の簡単な説明】
【０００８】
次の詳細な説明で、様々な変更及び変形は、以下の詳細な説明から当業者にとって明らかであるため、実施例は図面として説明される。
【０００９】
【図１】本発明の一実施形態によるネットワーククコンピューティングシステムを示している。
【００１０】
【図２】基地局（例えば、フェムトセル、ピコセル、マイクロセル又はマクロセル）のブロックダイアグラムを示している。
【００１１】
【図３】サーバコンピュータのブロックダイアグラムを示している。
【００１２】
【図４】移動局のブロックダイアグラムを示している。
【００１３】
【図５】本発明の一実施例による第１無線ネットワーク及び第２無線ネットワークを含む第１及び第２ネットワークコンピュータシステムを示している。
【００１４】
【図６】ＳＯＮ制御機を示している。
【００１５】
【図７】本発明の一実施例による重なるカバレッジ領域を有する第１及び第２無線ネットワーク間で干渉を減少させるプロセスを示している。
【００１６】
【図８】本発明の一実施例による重なるカバレッジ領域を有する第１及び第２無線ネットワーク間で干渉を減少させるプロセスを示している。
【発明を実施するための形態】
【００１７】
下記詳細な説明で、参照番号は図面に表示され、説明の部分を形成する。詳細な説明、図面及び請求項に説明された実施例が制限されることを意図するものではない。ここに提示された主題の精神又は範囲から逸脱することなく他の実施例が使用されることもでき、他の変更が行われることもできる。一般に、ここに説明され、図面に示されたように、本開示の態様は、広範囲な他の構成に配置され、代替され、組み合わされ、分離されて設計されることもできることが理解されるべきである。
【００１８】
図１は、本発明の一実施例によるネットワーククコンピューティングシステム１００の一例を示す。図１を参照すると、システム１００は、データ通信ネットワーク１０２、１つ以上の基地局１０６ａ−ｅ、１つ以上の基地局アンテナ１０４ａ−ｅ、１つ以上のネットワーク制御装置１１０ａ−ｃ、１つ以上のユーザ端末（Ｕｓｅｒ  Ｅｑｕｉｐｍｅｎｔ、以下、「ＵＥ」と称する）１０８ａ−ｍを含む。ここで、「基地局」は、位置で提供された無線通信局を意味し、無線ネットワークハブの役割を行う。基地局は、マクロセル、マイクロセル、ピコセル及びフェムトセルを含む。「ネットワーク制御装置」は、ネットワークのリソースを管理する装置を意味する。ネットワーク制御装置は、ネットワークリソース制御機（Ｎｅｔｗｏｒｋ  Ｒｅｓｏｕｒｃｅ  Ｃｏｎｔｒｏｌｌｅｒ、以下、「ＮＲＣ」と称する）を含み、ＮＲＣは、通常のＮＲＣ及び自己設定（ｓｅｌｆ−ｃｏｎｆｉｇｕｒａｔｉｏｎ）、自己最適化（ｓｅｌｆ−ｏｐｔｉｍｉｚａｔｉｏｎ）及び／又は自己治癒（ｓｅｌｆ−ｈｅａｌｉｎｇ）を行うことができる自己組織化ネットワーク（ｓｅｌｆ−ｏｒｇａｎｉｚｉｎｇ  ｎｅｔｗｏｒｋ、以下、「ＳＯＮ」と称する）制御機を含む。「ユーザ端末」は、末端ユーザによって直接使用されるある装置を意味する。ユーザ端末は、無線能力を備えた移動電話、ラップトップコンピュータ、タブレット、ハンド−ヘルド電子装置などを含む。「移動局」、「モバイル装置」、「加入者装置」、「加入者」などのような用語は「ユーザ端末」という用語と混用される。
【００１９】
システム１００で、データ通信ネットワーク１０２は、ネットワーク制御装置１１０ａ−ｃの中のいずれかと基地局１０６ａ−ｅの中のいずれかとの間で分散ネットワーク通信を可能にすることができるバックホール（ｂａｃｋｈａｕｌ）部分を含むこともできる。ネットワーク制御装置１１０ａ−ｃの中のいずれかは、基地局から遠隔で提供されるか、基地局で提供される専用のＮＲＣであり得る。ネットワーク制御装置１１０ａ−ｃの中のいずれかは、その中でもＮＲＣ機能を提供する非専用装置であり得る。１つ以上のＵＥ１０８ａ−ｍは、セルラー電話１０８ａ−ｉ、ラップトップコンピュータ１０８ｊ−ｋ、ハンドヘルドゲーム装置１０８ｌ、電子ブック装置又はタブレットＰＣ１０８ｍ及び基地局１０６ａ−ｅの中のいずれか１つによって無線通信サービスを提供をされることもできる他のタイプの一般的な携帯用無線コンピューティング装置を含むことができる。
【００２０】
大部分のデジタル通信ネットワークで、データ通信ネットワーク１０２のバックホール部分は、一般に有線であるネットワークのバックボーン及びネットワーク周辺に位置するサブネットワーク又は基地局１０６ａ−ｅの間で中間リンク（ｉｎｔｅｒｍｅｄｉａｔｅ  ｌｉｎｋ）を含むこともできる。例えば、１つ以上の基地局１０６ａ−ｅの中のいずれかと通信するセルラーユーザ端末（例えば、ＵＥ１０８ａ−ｍの中のいずれか）は、ローカルサブネットワークを構成することもできる。基地局１０６ａ−ｅの中のいずれかと残りとの間におけるネットワーク接続は、アクセス提供者の通信ネットワーク１０２のバックホール部分にリンクで（例えば、接続点（ｐｏｉｎｔ  ｏｆ  ｐｒｅｓｅｎｃｅ）を介して）開始することもできる。
【００２１】
一実施例において、（ＳＯＮ制御機のような）ＮＲＣは、遂行可能なプロセスによって定義されることもできる存在及び機能を有する。また、ＮＲＣである概念エンティティ（ｃｏｎｃｅｐｔｕａｌ  ｅｎｔｉｔｙ）は、本発明の実施例と関連づけられたプロセスを行う役割によって一般に定義されることもできる。したがって、特定の実施例によって、ＮＲＣエンティティはハードウェア構成及び／又はネットワーククコンピューティングシステム１００内で１つ以上の通信装置（ら）の揮発性又は不揮発性メモリのようなコンピュータ可読媒体に保存されたソフトウェア構成であると見なされる場合もある。
【００２２】
一実施例において、ネットワーク制御装置１１０ａ−ｃ及び／又は基地局１０６ａ−ｅの中のいずれかは、本発明の様々な実施例と関連づけられたプロセスの中のいずれか１つを具現するために独立して又は共同で機能することもできる。しかも、干渉を低減するためのプロセスのいずれかは、最新のＧＳＭ（Ｇｌｏｂａｌ  Ｓｙｓｔｅｍｓ  ｆｏｒ  Ｍｏｂｉｌｅ）、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＬＴＥ（Ｌｏｎｇ  Ｔｅｒｍ  Ｅｖｏｌｕｔｉｏｎ）ネットワークインフラなどと関連づけられた一般通信技術のような従来の知られた一般通信技術を介して行われることもできる。
【００２３】
標準ＧＳＭネットワークによって、ネットワーク制御装置１１０ａ−ｃ（ＮＲＣ装置又は選択的にＮＲＣ機能を有する他の装置）の中のいずれかは、基地局制御機（Ｂａｓｅ  Ｓｔａｔｉｏｎ  Ｃｏｎｔｒｏｌｌｅｒ、ＢＳＣ）、移動通信交換局（Ｍｏｂｉｌｅ  Ｓｗｉｔｃｈｉｎｇ  Ｃｅｎｔｅｒ、ＭＳＣ）又は無線リソース管理者（Ｒａｄｉｏ  Ｒｅｓｏｕｒｃｅ  Ｍａｎａｇｅｒ、ＲＲＭ）のような従来に知られた他の一般サービス提供者制御装置と関連づけられることもできる。標準ＵＭＴＳネットワークによって、ネットワーク制御装置１１０ａ−ｃ（選択的にＮＲＣ機能を有する）の中のいずれかは、パケット交換サポートノード（Ｓｅｒｖｉｎｇ  ＧＰＲＳ  Ｓｕｐｐｏｒｔ  Ｎｏｄｅ、ＳＧＳＮ）又は無線リソース管理者（ＲＲＭ）のような従来に知られた他の一般サービス提供者制御装置と関連づけられることもできる。標準ＵＭＴＳネットワークによって、ネットワーク制御装置１１０ａ−ｃ（選択的にＮＲＣ機能を有する）の中のいずれかは、ｅＮｏｄｅＢ基地局、移動性管理エンティティ（Ｍｏｂｉｌｉｔｙ  Ｍａｎａｇｅｍｅｎｔ  Ｅｎｔｉｔｙ、ＭＭＥ）又は無線リソース管理者（ＲＲＭ）のような従来に知られた他の一般ネットワーク制御装置と関連づけられることもできる。
【００２４】
無線ネットワークで、特定の基地局に所属したＵＥの個数は、基地局のカバレッジ領域でサービスを利用したユーザ数の関数である。もし、多くのユーザが隣接基地局に比べ特定の基地局の方により近い場合、仮にＵＥの一部が隣接基地局のサービス範囲内にあるとしても、特定の基地局が隣接基地局に比べ特定の基地局に所属したより多くの数のＵＥを有し得る。例えば、図１を参照すると、基地局１０６ａは、隣接基地局１０６ｂ及び１０６ｅに比べ少数のサービスを用いる所属ＵＥを有する。
【００２５】
一実施例において、ネットワーク制御装置１１０ａ−ｃの中のいずれか、基地局１０６ａ−ｅ及びＵＥ１０８ａ−ｍの中のいずれかは、ＭｉｃｒｏｓｏｆｔR  ＷｉｎｄｏｗｓR、Ｍａｃ  ＯＳR、ＧｏｏｇｌｅR  ＣｈｒｏｍｅR、ＬｉｎｕｘR、ＵｎｉｘR、又はＳｙｍｂｉａｎR、ＰａｌｍR、Ｗｉｎｄｏｗｓ  ＭｏｂｉｌｅR、ＧｏｏｇｌｅR  ＡｎｄｒｏｉｄR、Ｍｏｂｉｌｅ  ＬｉｎｕｘRなどのモバイルオペレーティングシステムなどを含む、しかし、これに限定されず、よく知られたオペレーティングシステムを駆動するように構成されることもできる。ネットワーク制御装置１１０ａ−ｃの中のいずれか又は基地局１０６ａ−ｅの中のいずれかは、複数の一般サーバ、デスクトップ、ラップトップ及びパーソナルクコンピューティング装置を利用する。
【００２６】
一実施例において、ＵＥ１０８ａ−ｍの中のいずれかは、ＧＳＭ、ＵＭＴＳ、３ＧＰＰ  ＬＴＥ、ＬＴＥ  Ａｄｖａｎｃｅｄ、ＷｉＭＡＸなどを含む、しかし、制限されない、一般の無線データ通信技術を採択して無線通信能力を有する一般のモバイルクコンピューティングデバイス（例えば、ラップトップコンピュータ、タブレットコンピュータ、セルラーフォン、ハンドヘルドゲームユニット、電子ブック装置、パーソナル音楽再生機、ＭｉＦｉＴＭ装置、ビデオレコーダ等）の組み合わせと関連づけられることもできる。
【００２７】
一実施例において、図１のデータ通信ネットワーク１０２のバックホール部分は、従来の技術で知られた他の無線通信技術と共に、光ファイバー、同軸ケーブル、ツイストペアケーブル、イーサネットケーブル及び電力線ケーブルのような一般通信技術の中のいずれかを使用することもできる。本発明の様々な実施例の内容で、様々なデータ通信技術（例えば、基地局１０６ａ−ｅ）と関連づけられた無線通信カバレッジは、典型的にネットワークの形態に基づく他のサービス提供者ネットワークとネットワークの特定の領域内で使用されたシステムインフラの差（例えば、ＧＳＭ、ＵＭＴＳ、ＬＴＥ、ＬＴＥ  Ａｄｖａｎｃｅｄ、及びＷｉＭＡＸベースのネットワークとそれぞれのネットワーク形態で使用された技術の差）があると理解されるべきである。
【００２８】
図２は、図１の基地局１０６ａ−ｅを示すこともできる基地局２００（例えば、フェムトセル、ピコセル、マイクロセル又はマクロセル）のブロックダイアグラムを示す。一実施例において、基地局２００は、少なくとも１つの中央処理装置（ＣＰＵ）を含むベースバンド処理回路を含む。ＣＰＵ２０２は、算術及び論理演算を行う演算装置（ａｒｉｔｈｍｅｔｉｃ  ｌｏｇｉｃ  ｕｎｉｔ、ＡＬＵ、図示せず）とプログラムが実行される間に必要な場合はＡＬＵを呼び出し、メモリから命令及び保存されたコンテンツを抽出し、命令及び保存されたコンテンツを実行及び／又は処理する１つ以上の処理装置（ｃｏｎｔｒｏｌ  ｕｎｉｔ、ＣＵ、図示せず）を含むこともできる。
【００２９】
基地局２００は、ネットワークにデータを送信し、ネットワークからデータを受信する無線回路（ｒａｄｉｏ  ｃｉｒｃｕｉｔｒｙ）２０１を含む。無線回路２０１は、システムバス２２０から送信されるデジタル信号をアナログ信号に変換するＤＡコンバータ（ｄｉｇｉｔａｌ−ｔｏ−ａｎａｌｏｇ  ｃｏｎｖｅｒｔｅｒ）２１０、アナログ信号の周波数を設定するアップコンバータ（ｕｐｃｏｎｖｅｒｔｅｒ）２０８及び信号として送信されアンテナ２１２に送信されるアナログ信号を増幅する送信増幅器（ｔｒａｎｓｍｉｔ  ａｍｐｌｉｆｉｅｒ）２０６を含む送信経路を含むこともできる。付加的には、無線回路２０１は、アンテナによって受信された信号を増幅する受信増幅器（ｒｅｃｅｉｖｅ  ａｍｐｌｉｆｉｅｒ）２１４、受信された信号の周波数を下げるダウンコンバータ（ｄｏｗｎｃｏｎｖｅｒｔｅｒ）２１６及び受信された信号をシステムバス２２０に出力するＡＤコンバータ（ａｎａｌｏｇ−ｔｏ−ｄｉｇｉｔａｌ  ｃｏｎｖｅｒｔｅｒ）２１８を含むこともできる。システムバス２２０は、基地局２００のハードウェアリソースでのデータ通信を可能にする。一実施例によって、多重ＤＡコンバータ、アップコンバータ、送信増幅器及び多重ＡＤコンバータ、ダウンコンバータ、受信増幅器を構成する複数の送信／受信経路２３０，２３２，２３４があり得る。また、アンテナ２１２は、ビーム形成された通信を送信する多重物理的アンテナを含むこともできる。
【００３０】
基地局２００は、ユーザインタフェース２２２、運用及びメインテナンスインタフェース２２４、アプリケーション及びプロトコル処理ソフトウェアを保存するメモリ２２６及びバックホールネットワーク（例えば、図１のデータ通信ネットワーク１０２）のＬＡＮ及び／又はＷＡＮ部分にわたって通信を可能にするネットワークインタフェース回路２２８を含むこともできる。
【００３１】
一実施例において、基地局２００は、２位相偏移変調（Ｂｉｎａｒｙ  Ｐｈａｓｅ  Ｓｈｉｆｔ  Ｋｅｙｉｎｇ、１ビット／シンボルを有する）、４位相偏移変調（Ｑｕａｄｒａｔｕｒｅ  Ｐｈａｓｅ  Ｓｈｉｆｔ  Ｋｅｙｉｎｇ、２ビット／シンボルを有する）、直角位相振幅変調（Ｑｕａｄｒａｔｕｒｅ  Ａｍｐｌｉｔｕｄｅ  Ｍｏｄｕｌａｔｉｏｎ）（例えば、１６−ＱＡＭ、６４−ＱＡＭ等、４ビット／シンボル、６ビット／シンボル等を有する）のような従来に知られた変調／エンコード技術を使用することもできる。また、基地局２００は、一般的なＧＳＭ、ＵＭＴＳ、ＷｉＭＡＸ及びＬＴＥプロトコルを含む任意のセルラーデータ通信プロトコルを介してＵＥ１０８ａ−ｍと通信するように構成されることもできる。
【００３２】
図３は、ネットワーク制御装置１１０ａ−ｃの中のいずれかを示すこともできるサーバコンピュータ３００のブロックダイアグラムを示す。一実施例において、１つ以上のネットワーク制御装置１１０ａ−ｃは、ＳＯＮ制御機である。サーバコンピュータ３００は、ＣＰＵ３０４を含む１つ以上の処理装置を含む。ＣＰＵ３０４は、算術及び論理演算を行う演算装置（ａｒｉｔｈｍｅｔｉｃ  ｌｏｇｉｃ  ｕｎｉｔ、ＡＬＵ、図示せず）とプログラムが実行される間に必要な場合はＡＬＵを呼び出し、メモリから命令及び保存されたコンテンツを抽出し、命令及び保存されたコンテンツを実行及び／又は処理する１つ以上の処理装置（ｃｏｎｔｒｏｌ  ｕｎｉｔ、ＣＵ、図示せず）を含むこともできる。ＣＰＵ３０４は、揮発性（ＲＡＭ）及び不揮発性（ＲＯＭ）メモリ３０２及び保存装置３１０（例えば、ＨＤＤ又はＳＤＤ）に保存されたコンピュータプログラムの実行を担当する。
【００３３】
サーバコンピュータ３００は、サーバ管理者がサーバコンピュータのソフトウェア及びハードウェアリソースと相互作用できるようにし、ネットワーククコンピューティングシステム１００の性能及び動作をディスプレイできるようにする選択的ユーザインタフェース３２０を含むこともできる。付加的には、サーバコンピュータ３００は、ネットワークコンピュータシステムにおける他の構成及びサーバコンピュータ３００のハードウェアリソースの中でデータ通信を可能にするシステムバス３２２と通信するネットワークインタフェース３０６を含むこともできる。
【００３４】
ネットワーク制御装置１１０ａ−ｃに加えて、サーバコンピュータ３００は、アンテナ制御機、ＲＦ計画（ｐｌａｎｎｉｎｇ）エンジン、コアネットワーク要素（ｃｏｒｅ  ｎｅｔｗｏｒｋ  ｅｌｅｍｅｎｔ）、データベースシステムなどのような他の形態のサーバ装置を具現するように使用されることもできる。サーバコンピュータによって提供された機能に基づいて、サーバコンピュータの保存装置は、言及されたソフトウェア及びデータベースに対する保存所の役割を行う。例えば、ネットワーク制御装置１１０が具現される場合、保存装置３１０は、隣接する無線基地局及び瞬時送信位相調整のリストを有する位相調整マップ（ｐｈａｓｅ  ａｄｊｕｓｔｍｅｎｔ ｍａｐ）、サーバコンピュータ又は基地局と関連づけられた移動局にデータを送信するためのＣＰＥ位相管理テーブルを生成するスケジューリング装置（ｓｃｈｅｄｕｌｉｎｇ  ｕｎｉｔ）、特定の移動局に送信するためのビーム形成された信号を生成するビーム形成装置及び隣接して干渉を起こす基地局と関連づけられた干渉に対する優先順位水準（ｐｒｉｏｒｉｔｙ  ｌｅｖｅｌ）を決定する優先順位固定装置（ｐｒｉｏｒｉｔｙ  ｆｉｘｉｎｇ  ｕｎｉｔ）を含むこともできる。
【００３５】
図４は、図１に示すＵＥ１０８の中のいずれかを示すこともできる移動局４００のブロックダイアグラムを示す。移動局４００は、基地局２００と関連して前記記述したものに類似した構成要素を含むこともできる。移動局４００は、図２の無線回路に対応する無線回路４０４、メモリ２２６に対応するメモリ４０６、システムバス２２０に対応するシステムバス４０８、ユーザインタフェース２２２に対応するユーザインタフェース４１０、運用及びメインテナンスインタフェース２２４に対応する運用及びメインテナンスインタフェース４１２及びプロセッサ（又はＣＰＵ）４１４を含むこともできる。
【００３６】
図５は、第１無線ネットワーク５０２及び第２無線ネットワーク５５２をそれぞれ含む、第１ネットワークコンピュータシステム５００及び第２ネットワークコンピュータシステム５５０を示す。第１無線ネットワーク５０２及び第２無線ネットワーク５５２は、重複地域でのサービスを提供し、それぞれ互いに重なる周波数帯域を使用することもできる。他の実施例において、同時に使用される場合、例えば、第１無線ネットワーク５０２で装置によって送信された無線信号が第２無線ネットワーク５５２での無線受信機に干渉を起こし得る場合、周波数は重なるものではなく干渉を起こし得る程度に十分に近接している。隣接によって互いに干渉する周波数は、「隣接周波数（ａｄｊａｃｅｎｔ  ｆｒｅｑｕｅｎｃｉｅｓ又はｎｅａｒｂｙ  ｆｒｅｑｕｅｎｃｉｅｓ）」と称される。したがって、規制機関は他のネットワーク間の干渉を防止するために他の周波数帯域と十分に離れた周波数帯域をネットワーク事業者に典型的に割り当てる。ネットワークに割り当てられた周波数帯域間での周波数分離はそれぞれのネットワークでのトランシーバ装置の相対的送信電力、それぞれのネットワークでの装置の要求受信感度、それぞれのネットワークで使用されるアンテナの形態（例えば、指向性アンテナｖｓ．無知向性アンテナ及びそれぞれのネットワークで使用されるアップリンク／ダウンリンク多重化技術（例えば、時分割多重化（Ｔｉｍｅ  Ｄｉｖｉｓｉｏｎ  Ｄｕｐｌｅｘｉｎｇ、ＴＤＤ）及び周波数分割多重化（Ｆｒｅｑｕｅｎｃｙ  Ｄｉｖｉｓｉｏｎ  Ｄｕｐｌｅｘｉｎｇ、ＦＤＤ）））を含む複数の要因による。周波数分離は、２つのネットワークが類似の特性を有する場合には数百キロヘルツ（ｋＨｚ）、２つのネットワークが非常に異なる特性（例えば、第１無線ネットワークが基地局あたり１００Ｗ（５０ｄＢｍ）範囲の送信電力を有するＦＤＤネットワークであって、一方、第２ネットワークは−１６０ｂＢｍの受信感度を有するＴＤＤシステム）を有する場合は、数十メガヘルツ（ＭＨｚ）を逸脱することができる。周波数が使用されるシステムの間に干渉を起こし得る十分に隣接しているが、重複しない周波数を使用する２つの周波数帯域の一例は、地上４Ｇ−ＬＴＥセルラー無線広帯域ネットワークが提案した１５２５−１５５９ＭＨｚ周波数帯域及びＧＰＳ（Ｇｌｏｂａｌ  Ｐｏｓｉｔｉｏｎｉｎｇ  Ｓｙｓｔｅｍ）に使用された１５５９−１６１０ＭＨｚ帯域である。重複しない隣接周波数での送信が干渉を起こす無線ネットワークの他の例は、ＦＭ無線ネットワークである：２００ｋＨｚだけ分離された送信は隣接周波数での送信に干渉を起こし得る。
【００３７】
第１ネットワークコンピュータシステム５００は、加入者装置５０６ａ−ｂに無線サービスを提供する複数の基地局５０４ａ−ｇを含む。基地局５０４ａ−ｇは、それぞれカバレッジ領域５２０ａ−ｇを有する。これらのカバレッジ領域（又はセル領域）５２０ａ−ｇは、第１無線ネットワーク５０２が無線通信サービスを提供する地域を定義する。コアネットワーク５０８は、データトラフィックに対するスイッチング、ルーティング及びトランジションを提供する。以下、具体的に説明するように、ＳＯＮ制御機５１０は、第１ネットワークコンピュータシステム５００に対してＳＯＮプロセスを具現し実行する。アンテナ制御機５１２は、基地局５０４ａ−ｇのアンテナに対する方位角、チルト及び高さのようなアンテナパラメータを制御する。
ＲＦ計画エンジン５１４は、加入者装置に基地局に対する新しい敷地位置（ｓｉｔｅ  ｌｏｃａｔｉｏｎ）を選択し、既に基地局に使用された適切なＲＦ設定及び他のパラメータを決定するサービスを選択的に提供するように使用される。例えば、ＳＯＮ制御機５１０は、アンテナ方向の変更の影響を測定するためにＲＦ計画エンジン５１４と通信できる。
【００３８】
図５は、単一のＳＯＮ制御機５１０を示してはいるが、ＳＯＮ制御機５１０の機能はネットワークで多重ノードを経て分布されることもできる。例えば、ＳＯＮプロセスの部分は基地局５０４ａ−ｇのそれぞれで実行されることもでき、ＳＯＮプロセスは、好ましいＳＯＮ機能を行うために基地局の中でデータを通信することもできる。
【００３９】
一実施例によって、第１無線ネットワーク５０２は、例えば、ＧＳＭ、ＵＭＴＳ、ＬＴＥ、ＷｉＦｉ等又は固有ネットワーク（ｐｒｏｐｒｉｅｔａｒｙ  ｎｅｔｗｏｒｋ）のような標準ベース通信ネットワークである場合もある。また、第１無線ネットワーク５０２は、標準ベース技術（例えば、ＬＴＥ、ＵＭＴＳ及びＧＳＭ技術）の組み合わせで構成されることもできる。
【００４０】
第２無線ネットワーク５５２は、基地局５５４ａ−ｆ、地上トランシーバ（ｇｒｏｕｎｄ−ｂａｓｅｄ  ｔｒａｎｓｃｅｉｖｅｒｓ）５５６ａ−ｂ、衛星５５８、航空機搭載トランシーバ（ａｉｒｂｏｒｎｅ  ｔｒａｎｓｃｅｉｖｅｒｓ、図示せず）、地上又は空中レーダ（図示せず）、ＮＲＣ５５９及び他の構成要素を含む。基地局５５４ａ−ｆは、それぞれカバレッジ領域５７０ａ−ｇを有する。トランシーバ５５６ａ−ｂ、衛星５５８及び他の構成要素は、固有のカバレッジ領域を有する。カバレッジ領域（又はセル領域）は、第２無線ネットワーク５５２が無線通信サービスを提供する地理的領域を意味する。地上トランシーバ５５６ａ−ｂは、衛星５５８又は第２無線ネットワーク５５２の部分である他のトランシーバを介して基地局５５４ａ−ｆと通信することもできる。第２無線ネットワーク５５２に対する性能データは、例えば、サーバのような保存システム５６２の性能メトリックデータベース５６０に保存されることもできる。性能メトリックデータベース５６０に保存されたメトリックデータの例は、（１）第２無線ネットワークにおけるノード及び無線リンクのそれぞれの利用測定値、（２）第２ネットワークを介してノードで現れた干渉測定値、（３）第２ネットワークを介してノードで現れた信号品質の測定値、（４）第２無線ネットワークの無線通信リンクにおけるエラー率測定値、（５）第２無線ネットワークからのトポロジ情報、（６）第２無線ネットワークで行われたハンドオーバデータ及びハンドオーバ測定値などを含む。
【００４１】
一実施例において、第１無線ネットワーク５０２は、１つの加入者グループにサービスを提供し、第２無線ネットワーク５５２は、他の加入者グループにサービスを提供する。第１無線ネットワークの例は、加入者に音声及びデータサービスを提供するセルラーネットワークである。第２無線ネットワーク５５２の例は、他のセルラー技術を使用したり、他の会社が所有する音声及びデータサービスを提供するセルラーネットワークである。第２無線ネットワーク５５２の他の例は、治安、航空、軍事又は他の政府関連の事柄に対する無線サービスを提供するネットワークである。政府関連の無線ネットワークは、利用可能な容量で極めて小さな部分のみ、例えば、５％又はそれ以下を使用する。また、第２無線ネットワーク５５２に割り当てられた多くの無線通信容量は使用されないまま残る。第２無線ネットワーク５５２に割り当てられた周波数帯域の不充分な使用は、無線スペクトル不足の時代において重要なリソースの不充分な使用という結果を産む。
【００４２】
一実施例において、第１無線ネットワーク５０２は、第２無線ネットワークによって使用された周波数スペクトル（又は第２周波数帯域）のブロックに同じ、重なる又は隣接する周波数スペクトル（又は第１周波数帯域）を使用し、利用可能な周波数スペクトルが無線ネットワーク事業者によってより效率的に利用されることができるように構成される。しかし、第１及び第２無線ネットワーク５０２，５５２のカバレッジ領域は、重なる場合があるため、同じ、重なる又は隣接する周波数帯域が第１及び第２無線ネットワーク５０２，５５２によって使用される場合、信号干渉が主な問題となる。第１無線ネットワーク５０２によって行われる送信は、第２無線ネットワーク５５２における信号受信に対して問題を起こす場合がある。例えば、第１無線ネットワークで送信された信号の高調波又は相互変調積（ｉｎｔｅｒ−ｍｏｄｕｌａｔｉｏｎ  ｐｒｏｄｕｃｔ）が第２無線ネットワークで送信され受信された信号と同じ周波数である。同様に、第１無線ネットワーク５０２によって送信された高電力信号は、第２無線ネットワーク５５２の無線受信機の高周波前端部の過負荷又は飽和の結果を引き起こす場合もある。
【００４３】
一実施例において、ＳＯＮ制御機５１０は、第１及び第２無線ネットワーク５０２，５５２の間で干渉問題を扱うために使用される。ＳＯＮ制御機５１０は、第２無線ネットワークでの干渉影響を低減するための第１無線ネットワーク５０２を構成するために第２無線ネットワーク５５２から収集した性能メトリックデータを獲得して使用する。ＳＯＮ制御機５１０（又はＳＯＮプロセス）の効果的な使用によって、第１無線ネットワーク５０２は、第２無線ネットワーク５５２に使用された周波数と同じ、重なる又は隣接する周波数を使用することもできる。
【００４４】
図６は、本発明の一実施例によるＳＯＮ制御機５１０を示すこともできるＳＯＮ制御機６００を示す。ＳＯＮ制御機６００は、ネットワーク要素ＩＤ、性能メトリックなどのような１つ以上の無線ネットワークから最初収集したデータによってＳＯＮプロセスを行う複数のモジュールを含む。ＳＯＮプロセスは、自動化した方式でどのようにネットワークに変更を起こし得るかを決定するためにこれらのデータを使用する。その後、これらの変更はネットワーク（閉鎖ループＳＯＮ）に自動的に適用されたり、これらの変更がネットワーク（開放ループＳＯＮ）に適用されるべきであるかを最終決定をする運用者によって最初検討されることもできる。
【００４５】
ＳＯＮ制御機６００は、新しく配置された基地局（又はノード）を構成する自己組織化モジュール６０２を含む。自己最適化モジュール６０４は、自動調整された（ａｕｔｏ−ｔｕｎｅ）第１無線ネットワーク５０２に対するＵＥ及び基地局測定値を含む無線ネットワークの性能測定値を利用する。一実施例において、自己最適化モジュール６０４は、第１無線ネットワークの構成パラメータ（又はパラメータ）を変更し、その結果、第２ネットワーク側に第１無線ネットワークによって生成された干渉が減少される。最適化過程の一部として、自己最適化モジュール６０４は、第２無線ネットワーク５５２の要素だけではなく第１無線ネットワークの要素によって作られた測定値を使用する。変更され得る第１無線ネットワークのパラメータは、無線送信機のバルク送信電力、個別無線リソースの送信電力設定（例えば、無線サブ帯域の送信電力又は他のタイムスロット又は他の無線コード、遠隔制御されるアンテナ（例えば、ＲＥＴ（Ｒｅｍｏｔｅ  Ｅｌｅｃｔｒｉｃａｌ  Ｔｉｌｔ）、ＲＡＳ（Ｒｅｍｏｔｅ  Ａｚｉｍｕｔｈ  Ｓｔｅｅｒｉｎｇ）又はＲＡＢ（Ｒｅｍｏｔｅ  Ａｚｉｍｕｔｈ  Ｂｅａｍ  ｗｉｄｔｈ）能力を有するアンテナ）の方向に使用される送信電力）などを含むこともできる。一実施例において、ＳＯＮプロセスは、選択的に第２無線ネットワーク５５２による構成変更のために第２無線ネットワークのＮＲＣ５５９に推薦パラメータの変更を伝達することもできる。
【００４６】
また、ＳＯＮ制御機６００は、第１無線ネットワーク５０２の要素で故障を自動的に感知し、これらの故障を解決、例えば、温度の故障又は以前のソフトウェアバージョンへの自動フォールバック（ｆａｌｌｂａｃｋ）の場合、出力電力を低減するための自己治癒メカニズムを適用する自己治癒モジュール６０６を含む。ＳＯＮコーディネーションモジュール６０８は、ＳＯＮプロセスを行うために自己組織化モジュール６０２、自己最適化モジュール６０４及び自己治癒モジュール６０６と通信する。
【００４７】
図７は、本発明の一実施例によって重なるカバレッジ領域を有する第１及び第２無線ネットワーク５０２，５５２の間の干渉を減少させるプロセス７００を示す。一実施例において、第１無線ネットワーク５０２は、一般公衆にサービスを提供するセルラーネットワーク事業者によって所有されて運用される標準ベースセルラーネットワークであるが、一方、第２無線ネットワーク５５２は、政府によって所有されて運用される治安ネットワーク又は軍用ネットワークである。他の実施例において、第１無線ネットワーク５０２及び第２無線ネットワーク５５２は、分離された事業者によって所有されて運用される標準基盤セルラーネットワークである。しかし、他の実施例において、第１無線ネットワーク及び第２無線ネットワークは、同一ネットワーク事業者によって所有されて運用されることもできるが、それぞれのネットワークは他の技術に基づくこともできる。
【００４８】
仮に第１及び第２無線ネットワーク５０２，５５２が他の技術に基づいたり、又は他の事業者によって運用されることができても、プロセス７００は、変更が第２無線ネットワーク５５２でもあり得るという潜在的影響力を考慮して第１無線ネットワーク５０２の構成を変更するＳＯＮプロセスを示している。
【００４９】
プロセス７００が単一のＳＯＮ制御機５１０を使用すると説明されたが、ＳＯＮ制御機５１０の機能は、ネットワークで多重ノードにわたって分布されることもできる。例えば、ＳＯＮプロセスの部分は、基地局５０４ａ−ｇのそれぞれで実行されることもでき、好ましいＳＯＮ機能を実現するために基地局の中でデータを通信することもできる。
【００５０】
プロセス７００は、説明の便宜のために図５及び図６を用いて説明される。しかし、様々な他の無線環境で具現されることもできる。プロセス７００は、イベント通知又は既設定された計画に基づいて開始されることもできる。イベント通知は、第２無線ネットワーク５５２で干渉の検出によってトリガーされることもできる。検出はＳＯＮ制御機５１０又は第２無線ネットワーク５５２の要素によって行われることもできる。ステップ７０２にて、ＳＯＮ制御機５１０は、第１無線ネットワーク５０２の第１性能メトリックデータ及び第１構成パラメータを調べる。ある実施例においては、ＳＯＮ制御機５１０は、第１構成パラメータのみを調べることもできる。ステップ７０４にて、ＳＯＮ制御機５１０は、第２無線ネットワーク５５２の第２性能メトリックデータ及び第２構成パラメータを獲得する。ある実施例においては、ＳＯＮ制御機５１０は、第２性能メトリックデータのみを獲得することもできる。ステップ７０６にて、ＳＯＮ制御機５１０は、第１及び第２性能メトリックデータ及び第１及び第２構成パラメータに基づいて第１無線ネットワーク５０２と関連づけられたパラメータ又はパラメータセットを変更する。ある実施例においては、ＳＯＮ制御機５１０は、第１構成パラメータ及び第２性能メトリックデータのみに基づいて（例えば、第１性能メトリックデータ及び第２構成パラメータを使用することなく）、第１無線ネットワーク５０２と関連づけられたパラメータ又はパラメータのセットを変更することもできる。パラメータは、第２無線ネットワーク５５２から起こる干渉を低減する意図で変更される。
【００５１】
図８は、本発明の一実施例によって重なるカバレッジ領域を有する第１及び第２無線ネットワーク５０２，５５２の間の干渉を減少させるプロセス８００を示す。一実施例において、言及されたプロセス７００で説明されたように、第１及び第２無線ネットワークは、他の技術又は他の事業者によって運用されるものに基づくこともできる。プロセス８００は、変更が第２無線ネットワーク５５２でもあり得るという潜在的影響力を考慮して第１無線ネットワーク５０２の構成を変更するＳＯＮプロセスを示している。
【００５２】
プロセス８００が単一のＳＯＮ制御機５１０を使用すると説明されたが、ＳＯＮ制御機５１０の機能は、ネットワークで多重ノードにわたって分布されることもできる。例えば、ＳＯＮプロセスの部分は、基地局５０４ａ−ｇのそれぞれで実行されることもでき、好ましいＳＯＮ機能を実現するために基地局の中でデータを通信することもできる
【００５３】
プロセス８００は、説明の便宜のために図５及び図６を用いて説明される。しかし、様々な他の無線環境で具現されることもできる。プロセス８００は、イベント通知又は既設定された計画に基づいて開始されることもできる。ステップ８０２にて、ＳＯＮ制御機５１０は、第１無線ネットワーク５０２の第１性能メトリックデータ及び第１構成パラメータを調べる。ある実施例においては、ＳＯＮ制御機５１０は、第１構成パラメータのみを調べることもできる。一実施例において、プロセス８００は、既設定された計画に基づいて実行される。第１構成パラメータの例は、以下を含む。
−第１無線ネットワークのそれぞれのノード（又は基地局）における送信電力
−第１無線ネットワークのそれぞれのノードにおけるアンテナ方向
−第１無線ネットワークからのトポロジ情報
第１性能メトリックデータの例は、以下を含む。
−第１無線ネットワークにおけるノード及び無線リンクの中のそれぞれの無線リソースの利用測定値
−第１無線ネットワークにわたるノードで現れた干渉測定値
−第１無線ネットワークの無線通信リンクにおけるエラー率測定値
−第１無線ネットワークで行われたハンドオーバデータ及びハンドオーバ測定値
−第１無線ネットワークの各ノードによって受信されたデータ量の測定値
−第１無線ネットワークの各ノードによって送信されたデータ量の測定値
−第１無線ネットワークの装置によってネットワーク接続に対する成功又は失敗試みの数の測定値
−第１無線ネットワークにおけるドロップされた接続の数の測定値
【００５４】
ステップ８０４にて、ＳＯＮ制御機５１０は、第２無線ネットワーク５５２から第２性能メトリックデータ及び第２構成パラメータを獲得する。第１無線ネットワークのＳＯＮ制御機５１０は、性能メトリックデータベース５６２又は第２無線ネットワーク５５２の要素（例えば、基地局又は他のトランシーバ装置）から直接第２性能メトリックデータ及び第２構成パラメータを獲得することもできる。ある実施例においては、ＳＯＮ制御機５１０は、第２性能メトリックデータのみを獲得することもできる。一実施例において、第２無線ネットワーク５５２は、第１無線ネットワーク５０２ではなく他の加入者に典型的にサービスを提供するネットワークである。例えば、第１無線ネットワーク５０２は、加入者に音声及びデータサービスを提供するセルラーネットワークであって、第２無線ネットワーク５５２は、治安、航空、軍事又は他の政府関連の事柄に対する無線サービスを提供するネットワークである。一実施例において、ＳＯＮ制御機５１０は、第１無線ネットワーク５０２の構成に対するこれらの変更が第２無線ネットワーク５５２であり得るという潜在的な影響を考慮するために、第２無線ネットワーク５５２から第２性能メトリックデータを獲得する。
【００５５】
一実施例において、ＳＯＮ制御機５１０は、第２無線ネットワーク５５２によって又は第２無線ネットワーク５５２から制御されるメトリックデータを持つ性能メトリックデータベース５６２のデータにアクセスする。インタフェース（図示せず）を介して又は第２無線ネットワーク５５２のＮＲＣ５５９から受信されたデータを介して性能メトリックデータベース５６２へのアクセスが行われる。性能メトリックデータベース５６２に保存されたメトリックデータの例は、（１）第２無線ネットワークにおけるノード及び無線リンクのそれぞれの利用測定値、（２）第２ネットワークを介してノードで現れた干渉測定値、（３）第２ネットワークを介してノードで現れた信号品質の測定値、（４）第２無線ネットワークの無線通信リンクにおけるエラー率測定値、（５）第２無線ネットワークで行われたハンドオーバデータ及びハンドオーバ測定値などを含む。また、性能メトリックデータベース５６２は、ＳＯＮ制御機５１０によってアクセスすることもできる第２構成パラメータ（例えば、第２無線ネットワークからのトポロジ情報）を含むこともできる。一実施例によって、ＳＯＮ制御機５１０は、第２構成パラメータではなく第２性能メトリックデータのみにアクセスできるように許可されることもできる。
【００５６】
ステップ８０６にて、第２無線ネットワークが第１無線ネットワークからの干渉が起こったか否かが決定される。干渉が起こらなかった場合、プロセス８００は、次の予定された時間又は次のイベント通知でステップ８０２を行うために待機する。もし、干渉が検出された場合、プロセスは、次のステップに進む。一実施例において、ステップ８０６は、第２無線ネットワーク５５２のＮＲＣ５５９によって行われることもでき、プロセス８００を実行するようにＳＯＮ制御機５１０に知らせることもできる。
【００５７】
ステップ８０８にて、ＳＯＮ制御機５１０は、第２無線ネットワーク５５２によって起こった干渉を效果的に解決するように予測できる第１無線ネットワーク５０２の変更を選択する。ＳＯＮ制御機５１０は、第１及び第２性能メトリックデータ及び第１及び第２構成パラメータに基づいて変更を選択する。一実施例によれば、ＳＯＮ制御機５１０は、第１構成パラメータ及び第２性能メトリックデータのみに基づいて（例えば、第１性能メトリックデータ及び第２構成パラメータを利用することなく）変更を選択することもできる。一実施例において、ＳＯＮ制御機５１０は、ＲＦ計画エンジン５１４から受信された予測された影響に関する情報に基づいて変更を選択することもできる。ＲＦ計画エンジン５１４は、ＳＯＮ制御機５１０が第１無線ネットワーク及び隣接する第２無線ネットワークに対する第１無線ネットワーク５０２の様々なパラメータの変更の影響を測定するようにサポートする。例えば、第１及び第２性能メトリックデータが第２無線ネットワーク５５２の基地局５５４ｃが第１無線ネットワーク５０２の基地局５０４ｇから干渉が起こっていることを示す場合、ＳＯＮ制御機５１０は、基地局５５４ｃによって起こる干渉を減少させるために基地局５０４ｇの方向を変更できる。又は、ＳＯＮ制御機５１０は、基地局５５４ｃによって起こる干渉を除去するために、基地局５０４ｇの送信電力を減少させることもできる。基地局５５４ｃのカバレッジ領域の減少を補償するために、ＳＯＮ制御機５１０は、基地局５０４ｆの送信電力を増加させることもできる。
【００５８】
ステップ８１０にて、ＳＯＮ制御機５１０は、ステップ８０８にて選択された変更に基づいて第１無線ネットワーク５０２と関連づけられたパラメータ又はパラメータのセットを変更する。例えば、ステップ８０８にて選択された変更が第１無線ネットワークのアンテナの方向を変更することである場合、ＳＯＮ制御機５１０は、アンテナ制御機５１２に第１無線ネットワーク５０２でアンテナの方向を変更するように指示する。
【００５９】
ステップ８１２にて、ＳＯＮ制御機５１０は、干渉が解決されたかを決定する。解決された場合、プロセス８００は終了する。解決されなかった場合、新しい第１及び第２性能メトリックデータ及び新しい第１及び第２構成パラメータが獲得され（ステップ８１４）、ステップ８０８及びステップ８１０が繰り返される。また、新しい第２性能メトリックデータのみが獲得されることもできる。一実施例において、干渉が解決されたかを決定するために、ＳＯＮ制御機５１０は、まず新しい性能メトリックデータを集めることもできる。
【００６０】
以上で述べたように、本発明の様々な実施例が説明の目的にここに記述され、様々な変形が本開示の範囲及び精神から逸脱することなく行われることもできるということが理解されるべきである。したがって、ここに開示された様々な実施例は制限されることを意図するものではない。
【図１】
2015523014.tif 000003
【図２】
2015523014.tif 000004
【図３】
2015523014.tif 000005
【図４】
2015523014.tif 000006
【図５】
2015523014.tif 000007
【図６】
2015523014.tif 000008
【図７】
2015523014.tif 000009
【図８】
2015523014.tif 000010
【国際調査報告】
2015523014.tif 000011
2015523014.tif 000012
2015523014.tif 000013